(57)【特許請求の範囲】
【請求項１】
吸気口と排気口を有する本体ケースと、この本体ケース内に設けられた送風手段と、加湿手段とを備え、この加湿手段は水を溜める水槽と、この水槽内の水に下端が浸漬される円板状の加湿フィルター部と、この加湿フィルター部を覆うフィルター枠部と、このフィルター枠部を中央部の軸部を中心に回転させる回転手段と、前記フィルター部の外周部に固定すると共に、前記加湿フィルター部に前記水槽の水を汲み上げ、給水する複数の給水部とから形成し、この給水部は、前記フィルター部の風路風上側に位置し、前記回転手段によって回転する最下部の位置において略縦長箱形状であると共に、第１の開口部と第２の開口部を備え、前記第１の開口部は、前記回転手段によって回転する最下部の位置において前記フィルター枠部の回転方向の下流側の側面下部に位置し、前記第２の開口部は、前記回転手段によって回転する最下部の位置において上面の回転方向の下流側に位置し、前記第２の開口部から前記フィルター枠部の中心部へ延びた第１の連通路部を備え、この第１の連通路部は、前記第２の開口部の前記フィルター枠部の回転方向の上流側に設けた第１の上流側壁部と、前記第２の開口部の前記フィルター枠部の回転方向の下流側に設けた第１の下流側壁部と、前記第１の上流側壁部と前記第１の下流側壁部との間の風路風上側を塞ぐ第１の風上側壁部とから形成した構成とした加湿装置。
【請求項２】
複数の前記第１の連通路部は、前記フィルター枠部の中心部で連通した構成とした請求項１に記載の加湿装置。
【請求項３】
複数の前記第１の連通路部と連通する複数の第２の連通路部を設け、これら第２の連通路部は、前記フィルター枠部の中心に対して前記第１の連通路部と点対称に位置すると共に、前記フィルター枠部の回転方向の上流側に設けた第２の上流側壁部と、前記フィルター枠部の回転方向の下流側に設けた第２の下流側壁部と、前記第２の上流側壁部と前記第２の下流側壁部との間の風路風上側を塞ぐ第２の風上側壁部とから形成した構成とした請求項１または２のいずれかに記載の加湿装置。
【請求項４】
前記第１の連通路部と前記第２の連通路部とは隣り合うように位置すると共に、隣り合う前記第１の連通路部の第１の上流側壁部と前記第２の連通路部の第２の下流側壁部、または、隣り合う前記第１の連通路部の第１の下流側壁部と前記第２の連通路部の第２の上流側壁部とは曲面部で連結した構成とした請求項３に記載の加湿装置。
【請求項５】
前記第２の開口部は、常に前記水槽の水面より上部に位置する構成とした請求項１〜４のいずれかに記載の加湿装置。
【請求項６】
前記第２の開口部は、前記水槽の上端部より上部に位置する構成とした請求項５に記載の加湿装置。
【請求項７】
前記第２の開口部には、水流方向変更手段を備え、この水流方向変更手段は、前記第１の上流側壁部と前記第１の下流側壁部との間の風路風下側の前記第２の開口部の周縁に位置すると共に、風路風下側から風路風上側へ傾斜した傾斜面で形成した請求項１〜６のいずれかに記載の加湿装置。
【請求項８】
前記給水部は、前記回転手段によって回転する最下部の位置において略縦長箱形状であると共に、前記フィルター枠部の回転方向の下流側の側面が開口し、この開口した開口部と連通した切欠部を上面に備え、前記第１の下流側壁部が、前記フィルター枠部の回転方向の下流側の側面の開口部の上部を塞ぐことにより、前記第１の開口部と前記第２の開口部とを備え、前記給水部は、前記フィルター枠部に着脱自在な構成とした請求項１〜７のいずれかに記載の加湿装置。
【発明の詳細な説明】
【技術分野】
【０００１】
本発明は、空気を加湿することのできる加湿装置に関する。
【背景技術】
【０００２】
従来のこの種の加湿装置の構成は以下のようになっていた。
【０００３】
すなわち、吸気口と排気口を有する本体ケースと、この本体ケース内に設けられた加湿手段を備え、この加湿手段は円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記吸気口から前記本体ケース内に吸気した空気を前記加湿フィルターを介して前記排気口へと送風する送風手段を設け、前記加湿フィルター枠は外周部に給水部を備え、この給水部の一部が前記水槽に供給された水に常時浸るように前記加湿フィルター枠を設けると共に、前記回転手段によって前記加湿フィルター枠を回転させることにより前記加湿フィルター枠の前記給水部で前記水槽から水を汲み上げ前記加湿フィルターに給水する構成となっていた。（例えば、これに類似する先行文献は下記特許文献１に記載されている。）。
【先行技術文献】
【特許文献】
【０００４】
【特許文献１】特開２００５−２８２９８０号公報
【発明の概要】
【発明が解決しようとする課題】
【０００５】
上記従来例における課題は、加湿能力が低いということであった。
【０００６】
すなわち、従来の物においては、円板状の加湿フィルターの外周部端面より、給水部から水槽の水を汲み上げ給水していた。この加湿フィルターの外周部端面に給水された水は、加湿フィルター内を通りながら加湿フィルターの下部に流れ落ち、加湿フィルター全体に水を含ませ、この水を含んだ加湿フィルターに送風手段によって送風することによって、空気を加湿するものであった。
【０００７】
そこで、加湿能力を向上させる為、送風手段による風量を増加させ、水を含んだ加湿フィルターを通過する風量を多くすると、加湿フィルターの外周部端面に給水された水は、送風手段によって加湿フィルターに送風される空気により、加湿フィルター内を下方に流れ落ちることなく、風下側の加湿フィルター面に流れ込むこととなる。つまり、加湿フィルターの外周部端面より加湿フィルター内を通りながら中央部に流れ落ちさせようとしていた水は、前記送風によって、加湿フィルターの風下側へ水平方向に流れ込み、結果として加湿フィルター内全体に水を含ませることができず、つまり加湿フィルターの狭い面積にしか水を含ませることができず、これにより、風量を上げて加湿能力を向上させることが困難であった。
【０００８】
そこで本発明は、加湿能力の向上を目的とするものである。
【課題を解決するための手段】
【０００９】
そしてこの目的を達成するために本発明は、吸気口と排気口を有する本体ケースと、この本体ケース内に設けられた送風手段と、加湿手段とを備え、この加湿手段は水を溜める水槽と、この水槽内の水に下端が浸漬される円板状の加湿フィルター部と、この加湿フィルター部を覆うフィルター枠部と、このフィルター枠部を中央部の軸部を中心に回転させる回転手段と、前記フィルター部の外周部に固定すると共に、前記加湿フィルター部に前記水槽の水を汲み上げ、給水する複数の給水部とから形成し、この給水部は、前記フィルター部の風路風上側に位置し、前記回転手段によって回転する最下部の位置において略縦長箱形状であると共に、第１の開口部と第２の開口部を備え、前記第１の開口部は、前記回転手段によって回転する最下部の位置において前記フィルター枠部の回転方向の下流側の側面下部に位置し、前記第２の開口部は、前記回転手段によって回転する最下部の位置において上面の回転方向の下流側に位置し、前記第２の開口部から前記フィルター枠部の中心部へ延びた第１の連通路部を備え、この第１の連通路部は、前記第２の開口部の前記フィルター枠部の回転方向の上流側に設けた第１の上流側壁部と、前記第２の開口部の前記フィルター枠部の回転方向の下流側に設けた第１の下流側壁部と、第１の上流側壁部と第１の下流側壁部との間の風路風上側を塞ぐ第１の風上側壁部とから形成したものであり、    これにより、初期の目的を達成するものである。
【発明の効果】
【００１０】
以上のように本発明は、吸気口と排気口を有する本体ケースと、この本体ケース内に設けられた送風手段と、加湿手段とを備え、この加湿手段は水を溜める水槽と、この水槽内の水に下端が浸漬される円板状の加湿フィルター部と、この加湿フィルター部を覆うフィルター枠部と、このフィルター枠部を中央部の軸部を中心に回転させる回転手段と、前記フィルター部の外周部に固定すると共に、前記加湿フィルター部に前記水槽の水を汲み上げ、給水する複数の給水部とから形成し、この給水部は、前記フィルター部の風路風上側に位置し、前記回転手段によって回転する最下部の位置において略縦長箱形状であると共に、第１の開口部と第２の開口部を備え、前記第１の開口部は、前記回転手段によって回転する最下部の位置において前記フィルター枠部の回転方向の下流側の側面下部に位置し、前記第２の開口部は、前記回転手段によって回転する最下部の位置において上面の回転方向の下流側に位置し、前記第２の開口部から前記フィルター枠部の中心部へ延びた第１の連通路部を備え、この第１の連通路部は、前記第２の開口部の前記フィルター枠部の回転方向の上流側に設けた第１の上流側壁部と、前記第２の開口部の前記フィルター枠部の回転方向の下流側に設けた第１の下流側壁部と、第１の上流側壁部と第１の下流側壁部との間の風路風上側を塞ぐ第１の風上側壁部とから形成したものであり、加湿能力を高めることができるものである。
【００１１】
まず、円板状の加湿フィルター部の下端が、水槽内の水に水没するので、加湿フィルター部の周縁部は、回転手段によって回転することにより、水槽内で水が周縁部全体に供給される。次に、加湿フィルター部の中央部は、フィルター枠部に固定された給水部が回転することにより、第１の開口部から水槽の水を汲み上げ、第２の開口部より第１の連通路部を介して、加湿フィルター部に水槽の水を給水するものである。ここで、給水部は、時計の６時（最下部）の位置において略縦長箱形状であり、回転手段によって回転し、時計の９時の位置において給水部は略横長箱形状となり、ここから徐々に水を給水し、時計の１０時までに大半の水が供給されることとなる。つまり、第２の開口部より傾斜が緩い第１の連通路部を介して、大半の水が加湿フィルター部の中心部へ供給され、更に、第１の連通路部よって送風手段の送風による影響を抑制できるので、第２の開口部から加湿フィルター部の中心部まで、均一に供給することができる。最後に、加湿フィルター部が回転することにより、加湿フィルター部の周縁部、および中央部に供給された水が、加湿フィルター部の周縁部と中央部との間の部分に流れ込み、加湿フィルター部全体に水を含ませることができるものである。
【００１２】
これらの結果により、加湿能力を向上させることができるものである。
【図面の簡単な説明】
【００１３】
【図１】本発明の実施の形態１の加湿装置の概略図
【図２】同加湿装置の概略断面を示す図
【図３】同加湿装置の加湿手段の断面を示す図
【図４】同加湿装置の加湿手段の概略図
【図５】同加湿装置のフィルター枠部と給水部及び加湿フィルター部の概略図
【図６】同加湿装置の上流側フィルター枠と給水部の概略図
【図７】同加湿装置の給水部の概略図
【発明を実施するための形態】
【００１４】
以下、本実施形態を添付図面を用いて説明する。
【００１５】
（実施の形態１）
図１から図４に示すように、本実施形態の加湿装置１は、吸気口２と排気口３を有する本体ケース４と、この本体ケース４内に設けた空気清浄手段と、この空気清浄手段の下流側に加湿手段６とを備えている。
【００１６】
吸気口２は、本体ケース４の両側面、および本体ケース４の前面下部とに位置し、排気口３は、本体ケース４の上面に位置している。
【００１７】
空気清浄手段は、縦長箱形状の空気清浄フィルター５で、濾材が蛇腹形状に折られたものであり、吸気口２の風路風下側に設けている。
【００１８】
加湿手段６は、空気清浄手段である空気清浄フィルター５の風路風下側に設けており、一定量の水が溜まった水槽７と、この水槽７の水に下端が常に浸漬した円板状の加湿フィルター部８と、この加湿フィルター部８に水槽７の水を汲み上げ、給水する給水部９と、加湿フィルター部８と給水部９とを固定する円板状のフィルター枠部１０と、このフィルター枠部１０の中央部の軸部１１を中心に回転させる回転手段１２とから形成されている。加湿手段６の風路風下側に、吸気口２から排気口３へ空気を送風する送風手段１３を設けている。
【００１９】
水槽７は、上面が開口した略横長箱形状で、水槽７の端部には水タンク１４が装着され、その水タンク１４から水が供給され、これにより水槽７内の水位は略一定状態が保たれる様になっている。
【００２０】
加湿フィルター部８は、２枚の円板状の第１の層の間に第２の層を挟んだ３層構造であり、第２の層は第１の層に対し垂直方向の複数の糸により形成されている。つまり、第２の層は第１の層を繊維で連結した三次元構造体としたものである。
【００２１】
図５に示すように、給水部９は、略箱形状で第１の開口部１５と第２の開口部１６を備えている。第１の開口部１５は、給水部９のフィルター枠部１０の回転方向の下流側の面で、外周側に位置した略四角形状で、第２の開口部１６は、給水部９のフィルター枠部１０の中心方向、つまり内周面で、フィルター枠部１０の回転方向の下流側に位置した略四角形状である。
【００２２】
図３と図５に示すように、フィルター枠部１０は、円板状の上流側フィルター枠１７と円板状の下流側フィルター枠１８とから形成している。上流側フィルター枠１７は、中央部に回転の中心である外方に延びた円柱形状の上流側軸部１９を設け、周縁部には、給水部９の固定部２０を備えている。下流側フィルター枠１８は、中央部に回転の中心である外方に延びた円柱形状の下流側軸部２１を設け、周縁部には、上流側フィルター枠１７の外周部を覆う円筒形状の円筒部２２を備え、これら下流側軸部２１と円筒部２２との間には、回転手段の回転動力を伝える円筒形状のギア部２３を設けている。下流側軸部２１から半径方向に延びた長方形平板形状の桟部２４と、円形平板形状の桟部２４とによって、下流側軸部２１と円筒部２２とを連結している。
【００２３】
加湿手段６は、上流側フィルター枠１７の外周に設けた固定部２０に給水部９を装着し、この上流側フィルター枠１７と下流側フィルター枠１８との間に加湿フィルター部８を入れ、上流側フィルター枠１７と下流側フィルター枠１８とを嵌め合わせ、水槽７の軸受部２５に上流側フィルター枠１７の上流側軸部１９と、下流側フィルター枠１８の下流側軸部２１とを回動自在に装着し、回転手段１２によって、下流側フィルター枠１８のギア部２３を介してフィルター枠部１０、給水部９、および加湿フィルター部８を回転するものである。
【００２４】
このような構成における空気清浄および、加湿動作について説明する。
【００２５】
水タンク１４より水槽７に常時一定の水位となるように水が供給される。この水に加湿手段６の給水部９と加湿フィルター部８の一部が常時浸かった状態となる。ここで回転手段１２によってフィルター枠部１０を回転させることで、水を汲んだ給水部９と加湿フィルター部８が回転し、給水部９によって汲み上げられた水を、加湿フィルター部８に水を供給する。つまり回転手段１２によりフィルター枠部１０を回転させ続けることで加湿フィルター部８は常時水を保持した状態に保たれる。
【００２６】
ここで、送風手段１３を動かすことにより、吸気口２から本体ケース４内に空気が吸い込まれ、この空気は本体ケース４内に備えられた空気清浄フィルター５と水を保持した状態の加湿フィルター部８とを通過し加湿清浄空気となり、排気口３から室内に排出される。
【００２７】
本実施形態における特徴は、図５から図７に示すように、給水部９、および給水部９の第２の開口部１６から加湿フィルター部８へ水を供給する構造にある。具体的には、給水部９は、加湿フィルター部８の風路風上側に位置し、回転手段１２によって回転する最下部の位置において略縦長箱形状である。そして、給水部９は第１の開口部１５と第２の開口部１６を備え、第１の開口部１５は、回転手段１２によって回転する最下部の位置においてフィルター枠部１０の回転方向の下流側の側面下部に位置し、第２の開口部１６は、回転手段１２によって回転する最下部の位置において上面の回転方向の下流側に位置するものである。この第２の開口部１６からフィルター枠部１０の中心部へ延びた第１の連通路部２６を備えている。この第１の連通路部２６は、第２の開口部１６のフィルター枠部１０の回転方向の上流側に設けた第１の上流側壁部２７と、第２の開口部１６のフィルター枠部１０の回転方向の下流側に設けた第１の下流側壁部２８と、第１の上流側壁部２７と第１の下流側壁部２８との間の風路風上側を塞ぐ第１の風上側壁部２９とから形成している。
【００２８】
まず、円板状の加湿フィルター部８の下端が、水槽７内の水に水没するので、加湿フィルター部８の周縁部は、回転手段１２によって矢印の方向に回転することにより、水槽７内で水が周縁部全体に供給される。次に、加湿フィルター部８の中央部は、フィルター枠部１０に固定された給水部９が回転することにより、第１の開口部１５から水槽７の水を汲み上げ、第２の開口部１６より第１の連通路部２６を介して、加湿フィルター部８に水槽７の水を給水するものである。ここで、給水部９は、時計の６時（最下部）の位置において略縦長箱形状であり、回転手段１２によって回転し、時計の９時の位置において給水部９は略横長箱形状となり、ここから徐々に水を給水し、時計の１０時までに大半の水が供給されることとなる。つまり、第２の開口部１６より傾斜が緩い第１の連通路部２６を介して、大半の水が加湿フィルター部８の中心部へ供給され、更に、第１の連通路部２６よって送風手段１３の送風による影響を抑制できるので、第２の開口部１６から加湿フィルター部８の中心部まで、均一に供給することができる。最後に、加湿フィルター部８が回転することにより、加湿フィルター部８の周縁部、および中央部に供給された水が、加湿フィルター部８の周縁部と中央部との間の部分に流れ込み、加湿フィルター部８全体に水を含ませることができるものである。
【００２９】
これらの結果により、加湿能力を向上させることができるものである。
【００３０】
また、複数の第１の連通路部２６は、フィルター枠部１０の中心部で連通した構成としたものである。具体的には、隣り合う第１の連通路部２６の第１の上流側壁部２７と第１の連通路部２６の第１の下流側壁部２８、隣り合う第１の連通路部２６の第１の下流側壁部２８と、および第１の連通路部２６の第１の上流側壁部２７とが連結したものである。
【００３１】
このように、複数の第１の連通路部２６を、フィルター枠部１０の中心部で連通することにより、給水部９は、時計の６時（最下部）の位置において略縦長箱形状であり、回転手段１２によって回転し、時計の９時の位置において給水部９は略横長箱形状となり、ここから徐々に水を給水し、時計の１０時までに大半の水が供給されることとなる。つまり、第２の開口部１６より傾斜が緩い第１の連通路部２６を介して、大半の水が加湿フィルター部８の中心部へ供給される。ここで、加湿フィルター部８にしみこまない水は、更に、フィルター枠部１０の中心部で連通した第１の連通路部２６に流れ込み、加湿フィルター部８の中央部に水を含ませることができるものである。これらの結果により、加湿フィルター部８の中央部全体に水を含ませることができ、加湿能力を向上させることができるものである。
【００３２】
また、複数の第１の連通路部２６と連通する複数の第２の連通路部３０を設け、これら第２の連通路部３０は、フィルター枠部１０の中心に対して第１の連通路部２６と点対称に位置すると共に、フィルター枠部１０の回転方向の上流側に設けた第２の上流側壁部３１と、フィルター枠部１０の回転方向の下流側に設けた第２の下流側壁部３２と、第２の上流側壁部３１と第２の下流側壁部３２との間の風路風上側を塞ぐ第２の風上側壁部３３とから形成したものである。
【００３３】
このように、複数の第１の連通路部２６と複数の第２の連通路部３０を、フィルター枠部１０の中心部で連通することにより、給水部９は、時計の６時（最下部）の位置において略縦長箱形状であり、回転手段１２によって回転し、時計の９時の位置において給水部９は略横長箱形状となり、ここから徐々に水を給水し、時計の１０時までに大半の水が供給されることとなる。つまり、第２の開口部１６より傾斜が緩い第１の連通路部２６を介して、大半の水が加湿フィルター部８の中心部へ供給される。ここで、加湿フィルター部８にしみこまない水は、更に、フィルター枠部１０の中心部で連通した第１の連通路部２６、または第２の連通路部３０に流れ込み、加湿フィルター部８の中央部に水を含ませることができるものである。また、第２の連通路部３０は、加湿フィルター部８の中央部から加湿フィルター部８の周縁部に延びており、この周縁部には、給水部９が無いので、加湿フィルター部８の通風面積の減少を抑制できるものである。
【００３４】
また、第１の連通路部２６と第２の連通路部３０とは隣り合うように位置すると共に、隣り合う第１の連通路部２６の第１の上流側壁部２７と第２の連通路部３０の第２の下流側壁部３２、または、隣り合う第１の連通路部２６の第１の下流側壁部２８と第２の連通路部３０の第２の上流側壁部３１とは曲面部３４で連結した構成としたものである。具体的には、水平方向から見ると、曲面部３４は、加湿フィルター部８の中心から外方に開口した曲面形状である。
【００３５】
これにより、複数の第１の連通路部２６を、フィルター枠部１０の中心部で連通することにより、給水部９は、時計の６時（最下部）の位置において略縦長箱形状であり、回転手段１２によって回転し、時計の９時の位置において給水部９は略横長箱形状となり、ここから徐々に水を給水し、時計の１０時までに大半の水が供給されることとなる。つまり、第２の開口部１６より傾斜が緩い第１の連通路部２６を介して、大半の水が加湿フィルター部８の中心部へ供給される。ここで、加湿フィルター部８にしみこまない水は、更に、フィルター枠部１０の中心部で、曲面部３４に当たることにより、連通した第１の連通路部２６、または第２の連通路部３０に分散して流れ込み、加湿フィルター部８の中央部に水を含ませることができるものである。
【００３６】
また、第２の開口部１６は、常に水槽７の水面より上部に位置する構成としたものである。具体的には、第２の開口部１６は、水槽７の上端部より上部に位置する構成としたものである。つまり、第２の開口部１６は、回転手段１２によって回転する時計の６時（最下部）の位置において上面の回転方向の下流側に位置するものである。この時計の６時（最下部）の位置においても、常に水槽７の水面より上部、水槽７の上端部より上部に位置するものである。
【００３７】
すなわち、第２の開口部１６は、常に水槽７の水面より上部に位置するので、給水部９によって、第１の開口部１５から水槽７の水を汲み上げる時に、給水部９内の空気が第２の開口部１６から、常に抜けるものである。一方、仮に、第２の開口部１６が、第１の開口部１５から水槽７の水を汲み上げる時に、水槽７の水面より下部に位置すると、第１の開口部１５または第２の開口部１６から給水部９内の空気が水中に抜け、水面で気泡が弾け、この弾ける時に音が発生するものである。つまり、第２の開口部１６が、常に水槽７の水面より上部に位置することのより、第１の開口部１５または第２の開口部１６から水中に空気が抜けることを防止し、結果として、水面で気泡が弾ける時に発生する音を防止することできる。
【００３８】
また、第２の開口部１６には、水流方向変更手段を備え、この水流方向変更手段は、第１の上流側壁部２７と第１の下流側壁部２８との間の風路風下側の第２の開口部１６の周縁に位置すると共に、風路風下側から風路風上側へ傾斜した傾斜面３５で形成したものである。これにより、給水部９は、時計の６時（最下部）の位置において略縦長箱形状であり、回転手段１２によって回転し、時計の９時の位置において給水部９は略横長箱形状となり、ここから徐々に水を給水し、時計の１０時までに大半の水が供給されることとなる。つまり、第２の開口部１６より傾斜が緩い第１の連通路部２６を介して、大半の水が加湿フィルター部８の中心部へ供給される。ここで、第２の開口部１６より出た水の一部は、傾斜面３５に流れ、風路風上側へ流れるので、より加湿フィルター部８の中央部に水を含ませることができるものである。これらの結果により、加湿フィルター部８の中央部全体に水を含ませることができ、加湿能力を向上させることができるものである。
【００３９】
また、給水部９は、回転手段１２によって回転する最下部の位置において略縦長箱形状であると共に、フィルター枠部１０の回転方向の下流側の側面が開口し、この開口した開口部３６と連通した切欠部３７を上面に備え、第１の下流側壁部２８が、フィルター枠部の回転方向の下流側の側面の開口部３６の上部を塞ぐことにより、第１の開口部１５と第２の開口部１６とを備え、給水部９は、フィルター枠部１０に着脱自在な構成としたものである。具体的には、給水部９は、厚みのある長方形の箱型形状である。この一方の長辺を含む厚み方向の面には、開口部３６を備え、この開口部３６から一方の短辺を含む厚み方向の面には切欠部３７を設けたものである。ここで、第１の下流側壁部２８が一方の短辺側の開口部３６の一部を塞ぐことにより、この塞いだ部分の両端に第１の開口部１５と第２の開口部１６と有するものである。そして、給水部９は、フィルター枠部１０から延びた爪部３８によって着脱自在に装着されるものである。
【００４０】
すなわち、給水部９は、爪部３８によって着脱自在であると共に、開口部３６と切欠部３７とは連通した構成なので、給水部９をフィルター枠部１０から取り外し、容易にメンテナンスすることができる。
【産業上の利用可能性】
【００４１】
以上のように本発明は、吸気口と排気口を有する本体ケースと、この本体ケース内に設けられた送風手段と、加湿手段とを備え、この加湿手段は水を溜める水槽と、この水槽内の水に下端が浸漬される円板状の加湿フィルター部と、この加湿フィルター部を覆うフィルター枠部と、このフィルター枠部を中央部の軸部を中心に回転させる回転手段と、前記フィルター部の外周部に固定すると共に、前記加湿フィルター部に前記水槽の水を汲み上げ、給水する複数の給水部とから形成し、この給水部は、前記フィルター部の風路風上側に位置し、前記回転手段によって回転する最下部の位置において略縦長箱形状であると共に、第１の開口部と第２の開口部を備え、前記第１の開口部は、前記回転手段によって回転する最下部の位置において前記フィルター枠部の回転方向の下流側の側面下部に位置し、前記第２の開口部は、前記回転手段によって回転する最下部の位置において上面の回転方向の下流側に位置し、前記第２の開口部から前記フィルター枠部の中心部へ延びた第１の連通路部を備え、この第１の連通路部は、前記第２の開口部の前記フィルター枠部の回転方向の上流側に設けた第１の上流側壁部と、前記第２の開口部の前記フィルター枠部の回転方向の下流側に設けた第１の下流側壁部と、第１の上流側壁部と第１の下流側壁部との間の風路風上側を塞ぐ第１の風上側壁部とから形成したものであり、加湿能力を高めることができるものである。
【００４２】
まず、円板状の加湿フィルター部の下端が、水槽内の水に水没するので、加湿フィルター部の周縁部は、回転手段によって回転することにより、水槽内で水が周縁部全体に供給される。次に、加湿フィルター部の中央部は、フィルター枠部に固定された給水部が回転することにより、第１の開口部から水槽の水を汲み上げ、第２の開口部より第１の連通路部を介して、加湿フィルター部に水槽の水を給水するものである。ここで、給水部は、時計の６時（最下部）の位置において略縦長箱形状であり、回転手段によって回転し、時計の９時の位置において給水部は略横長箱形状となり、ここから徐々に水を給水し、時計の１０時までに大半の水が供給されることとなる。つまり、第２の開口部より傾斜が緩い第１の連通路部を介して、大半の水が加湿フィルター部の中心部へ供給され、更に、第１の連通路部よって送風手段の送風による影響を抑制できるので、第２の開口部から加湿フィルター部の中心部まで、均一に供給することができる。最後に、加湿フィルター部が回転することにより、加湿フィルター部の周縁部、および中央部に供給された水が、加湿フィルター部の周縁部と中央部との間の部分に流れ込み、加湿フィルター部全体に水を含ませることができるものである。
【００４３】
これらの結果により、加湿能力を向上させることができるものである。
【００４４】
従って、家庭用や事務所用などの、加湿装置として活用が期待されるものである。
【符号の説明】
【００４５】
１    加湿装置
２    吸気口
３    排気口
４    本体ケース
５    空気清浄フィルター
６    加湿手段
７    水槽
８    加湿フィルター部
９    給水部
１０  フィルター枠部
１１  軸部
１２  回転手段
１３  送風手段
１４  水タンク
１５  第１の開口部
１６  第２の開口部
１７  上流側フィルター枠
１８  下流側フィルター枠
１９  上流側軸部
２０  固定部
２１  下流側軸部
２２  円筒部
２３  ギア部
２４  桟部
２５  軸受部
２６  第１の連通路部
２７  第１の上流側壁部
２８  第１の下流側壁部
２９  第１の風上側壁部
３０  第２の連通路部
３１  第２の上流側壁部
３２  第２の下流側壁部
３３  第２の風上側壁部
３４  曲面部
３５  傾斜面
３６  開口部
３７  切欠部
３８  爪部
【図１】
0005510159.tif 000002
【図２】
0005510159.tif 000003
【図３】
0005510159.tif 000004
【図４】
0005510159.tif 000005
【図５】
0005510159.tif 000006
【図６】
0005510159.tif 000007
【図７】
0005510159.tif 000008